【手続補正書】
【提出日】平成17年8月11日(2005.8.11)
【手続補正１】
【補正対象書類名】特許請求の範囲
【補正対象項目名】請求項４
【補正方法】変更
【補正の内容】
【請求項４】
更に
ｅ）分散剤／防止剤パッケージ、及び
ｆ）少なくとも１種の添加物
を含む請求項３に記載の潤滑油。
【手続補正２】
【補正対象書類名】特許請求の範囲
【補正対象項目名】請求項１０
【補正方法】変更
【補正の内容】
【請求項１０】
前記分散剤／防止剤パッケージが、約８〜約１４重量％の量である請求項４に記載の環境にやさしい潤滑油。
【手続補正３】
【補正対象書類名】明細書
【補正対象項目名】０００９
【補正方法】変更
【補正の内容】
【０００９】
発明の概要
上記要求は、本発明の各種実施態様により満足される。幾つかの実施態様では、環境にやさしい潤滑油は、エステル交換したトリグリセロール油と、該トリグリセロール油とは異なる合成エステルとを含み、少なくとも６０％が生分解可能で、かつゲル化指数が約１２未満である環境にやさしい潤滑油である。この潤滑油は、自動車エンジンオイルとして使用でき、また更に粘度指数向上剤及び／又は洗浄防止剤パッケージ（ｐａｃｋａｇｅ）を含有してもよい。自動車エンジンオイルは、流動点降下剤、酸化防止剤、摩擦改良剤、防錆剤、腐蝕防止剤及び消泡剤のような他の添加物を含有してもよい。他の実施態様は、以下に説明する。
【手続補正４】
【補正対象書類名】明細書
【補正対象項目名】００２５
【補正方法】変更
【補正の内容】
【００２５】
幾つかの実施例では、環境にやさしい潤滑油は、エステル交換植物油  約３０〜約８５％、更に好ましくは約３５〜約７５％、最も好ましくは約４０〜約６５％と、合成エステル  約１０〜約３０％、更に好ましくは約１２〜約２５％、最も好ましくは約１５〜約２０％との混合物である。エステル系粘度指数向上剤は、任意に約０．１〜約３．０％、更に好ましくは約０．２〜約２．５％、最も好ましくは約０．５〜約２％の量、添加でき、またオレフィン共重合体系粘度指数向上剤は、任意に約０．１〜約６．０％、更に好ましくは約１〜約５％、最も好ましくは約２〜約４％の量、添加できる。環境にやさしい潤滑油は、更に任意に分散剤／防止剤パッケージを約８〜約１４％、更に好ましくは約１０〜約１２％の量、及び他の添加物、例えば流動点降下剤、酸化防止剤、摩擦改質剤、錆防止剤、腐蝕防止剤、及び消泡剤を約０．１〜約５％、更に好ましくは約０〜約２％の量、添加できる。環境にやさしい潤滑油は、ゲル化指数が約１２未満で、ＡＳＴＭ  Ｄ−５８６４−９５の生分解性試験で少なくとも約６０％が生分解性であるように、処方される。環境にやさしい潤滑油は、全てのＩＬＳＡＣ  ＧＦ−３／ＡＰＩ  ＳＬ小規模（ｂｅｎｃｈ）試験にも適合する。
【手続補正５】
【補正対象書類名】明細書
【補正対象項目名】００７１
【補正方法】変更
【補正の内容】
【００７１】
鉱油と植物油との一相違点は、鉱油が主として非極性炭化水素であるのに対し、植物油は極性のエステル官能基を有することである。一層極性の植物油との併用に特別に処方された分散剤／防止剤（ＤＩ）パッケージはない。したがって、従来のＤＩパッケージは、配合物の実施態様で使用されていた。植物油に従来のＤＩパッケージを溶解するには、植物油にＡＰＩグループＩ〜ＩＩＩの鉱油又はグループＩＶのポリα−オレフィン（ＰＡＯ）を約１０〜約３０％配合して極性を低下させる。得られるオイルは、透明で均質である。
【手続補正６】
【補正対象書類名】明細書
【補正対象項目名】００７２
【補正方法】変更
【補正の内容】
【００７２】
分散剤／防止剤添加物パッケージは、潤滑油に添加して、既に形成された不溶性粒子を破壊すると共に、粒子の形成を防止する。粒子は、オイル中に分散して残るか、又はコロイド状に懸濁して残るように、微粉砕状態に保持される。分散剤／防止剤添加物パッケージは、好ましくは約６〜約１８重量％、更に好ましくは約８〜約１６重量％、最も好ましくは約１０〜約１４重量％の量である。
【手続補正７】
【補正対象書類名】明細書
【補正対象項目名】００７７
【補正方法】変更
【補正の内容】
【００７７】
好ましい分散剤／防止剤添加物のパッケージは、ＬＵＢＲＩＺＯＬ（Ｗｉｃｋｌｉｆｆｅ，ＯＨ）製のＬＵＢＲＩＺＯＬ  ９８５０Ｕ（商標）又はＬＵＢＲＩＺＯＬ  ９８５０である。ＤＩパッケージの内容は、一般に所有者の秘密であるが、通常、ＺＤＤＰ（ジアルキルジチオ燐酸亜鉛）のような摩耗防止剤、酸化防止剤−フェノール系及び／又はアミンタイプの酸化防止剤、洗浄剤（Ｍｇ及び／又はＣａスルホネート又はフェノレート）、分散剤（ポリイソブチレンスクシンアミド）、腐蝕防止剤、錆防止剤、摩擦改良剤、消泡剤等である。ガソリン及びディーゼルエンジンオイル用のその他の好適な分散剤／防止剤添加物パッケージは、ＯＲＯＮＩＴＥ（商標）（ＣＨＥＶＲＯＮ，ＣＡ）及びＩＮＦＩＮＥＵＭ（商標）（ＥＸＸＯＮ−ＭＯＢＩＬ，ＴＸ）である。ＧＦ−３  ＤＩパッケージは、例えばＯＬＯＡ  ５５００７（商標）及びＯＬＯＡ  ５９０２９（商標）（ＣＨＥＶＲＯＮ，ＣＡ）、ＩＮＦＩＮＥＵＭ  ５０６３、ＩＮＦＩＮＥＵＭ  ３４２１、ＩＮＦＩＮＥＵＭ  ３４２２（ＥＸＸＯＮ−ＭＯＢＩＬ，ＴＸ）、及びＬＵＢＲＩＺＯＬ  ２０，０００及びＬＵＢＲＩＺＯＬ  ２０，０００Ａ（ＬＵＢＲＩＺＯＬ，ＯＨ）である。
下記表に示す同様な特性を有する分散剤／防止剤添加物パッケージも有用である。
【手続補正８】
【補正対象書類名】明細書
【補正対象項目名】００８７
【補正方法】変更
【補正の内容】
【００８７】
また、配合物中に高粘度及び低粘度の鉱油を混合することにより、全範囲のＳＡＥグレードモーターオイルを作ることが可能である。自動車オイルの粘度は、３０、４０、５０のような数字で表わされるＳＡＥ（Ｓｏｃｉｅｔｙ  ｏｆ  Ａｕｔｏｍｏｔｉｖｅ  Ｅｎｇｅｅｒｓ）粘度グレードに分類される。この数字が高いほど、高温操作での有効性は大きい。低粘度の希薄オイルである低数字のオイルは、一層容易に流れるように寒冷下で使用され、このパッケージ上のオイルグレードの次の“Ｗ”マークにより確認される。マルチグレードオイル５Ｗｘｘ、１０Ｗｘｘ、２０Ｗｘｘ等は、低温及び高温の両条件下で適している。工業用に特別に作った潤滑油は、ＩＳＯ（ｉｎｔｅｒｎａｔｉｏｎａｌ  Ｏｒｇａｎｉｚａｔｉｏｎ  ｆｏｒ  Ｓｔａｎｄｅｒｄｉｚａｔｉｏｎ）グレードにより分類された粘度を有する。
【手続補正９】
【補正対象書類名】明細書
【補正対象項目名】００９１
【補正方法】変更
【補正の内容】
【００９１】
実施例Ｉ
第５Ａ表及び第５Ｂ表は、極性エステルタイプ粘度調整剤を用いた潤滑剤の配合物及び物性を示す。配合物Ａ〜Ｃは、ポリメタクリレート共重合体であるＬＵＢＲＩＺＯＬ  ７７６４を用い、配合物Ｄ〜Ｆは、植物油中にポリメタクリレート共重合体を分散したＬＵＢＲＩＺＯＬ  ７７８５を用いた。分散剤／防止剤パッケージは、ＬＵＢＲＩＺＯＬ  ９８５０Ｕである。流動点降下剤は、Ｖｉｓｃｏｐｌｅｘ  １−３００４である。鉱油は、Ｙｕｂａｓｅ  １５０Ｎ（商標）であり、また合成エステルは、Ｅｍｋａｒａｔｅ  １１３０である。植物油は、ＡＧＲＩーＰＵＲＥ  ５６０である。
【手続補正１０】
【補正対象書類名】明細書
【補正対象項目名】０１１２
【補正方法】変更
【補正の内容】
【０１１２】
実施例８
第１２表は、グループＩＩ鉱油（Ｅｘｃｅｌ  １００−ＨＣ及びＥｘｃｅｌ  ５７５−ＨＣ）、二塩基酸エステル、及びＣＡＲＧＩＬＬ改質植物油、ＡＧＲＩ−ＰＵＲＥ  ５６０の配合物を含む基油中にエステルタイプ及びオレフィン共重合体タイプの粘度調整剤の組合わせを用いた配合物から処方される或る範囲のＳＡＥグレード潤滑油を表わす。分散剤／防止剤添加物パッケージは、Ｏｌｏａ  ５５００７で、流動点降下剤は、Ｖｉｓｃｏｐｌｅｘ  １−３００４である。第１２表は、同表のオイルの物性を示す。これらの配合物は、約１２未満というＡＰＩ  ＳＬゲル化指数規格をパスすると共に、これらの適切なＳＡＥグレードに対する他の物性に適合する。
【手続補正１１】
【補正対象書類名】明細書
【補正対象項目名】０１１５
【補正方法】変更
【補正の内容】
【０１１５】
実施例９
第１３表は、グループＩＩ鉱油（Ｅｘｃｅｌ  １００−ＨＣ及びＥｘｃｅｌ  ５７５−ＨＣ）、二塩基酸エステル、及び改質植物油（ＡＧＲＩ−ＰＵＲＥ  ５６０）の配合物を含む基油中にエステルタイプ及びオレフィン共重合体タイプの粘度調整剤の組合わせを用いた配合物から処方される或る範囲のＳＡＥグレード潤滑油を表わす。分散剤／防止剤添加物パッケージは、Ｌｕｂｒｉｚｏｌ  ２００００で、流動点降下剤は、Ｖｉｓｃｏｐｌｅｘ  １−３００４である。第１３Ｂ表は、第１３Ａ表のオイルの物性を示す。
【手続補正１２】
【補正対象書類名】明細書
【補正対象項目名】０１１８
【補正方法】変更
【補正の内容】
【０１１８】
実施例１０
第１４表は、グループＩＩ鉱油（Ｅｘｃｅｌ  １００−ＨＣ及びＥｘｃｅｌ  ５７５−ＨＣ）、二塩基酸エステル、及び改質植物油（ＡＧＲＩ−ＰＵＲＥ  ５６０）の配合物を含む基油中にエステルタイプ及びオレフィン共重合体タイプの粘度調整剤の組合わせを用いた５Ｗ−３０  ＳＡＥグレード潤滑油配合物を表わす。分散剤／防止剤添加物パッケージは、Ｌｕｂｒｉｚｏｌ  ２００００で、流動点降下剤は、Ｖｉｓｃｏｐｌｅｘ  １−３００４である。この配合物は、全てのＡＰＩ  ＳＬ小規模試験要件をパスした。第１４表は、配合物の物性も示す。